(57)【要約】【課題】オーディオシステムを提供する。【解決手段】本発明の一つの態様によると、音声信号がコントローラにより供給された場合にボディが音声を発するように、ボディに結合された音声周波アクチュエータと、ボディでの音声振動を感知するように、ボディ又は隣接するボディに結合された音声センサとを備え、センサはコントローラに接続され、これにより、コントローラは、センサにより感知された振動に応じて、アクチュエータに供給された音声信号を変更するように構成されているオーディオシステム。本発明の別の態様によると、音声信号がコントローラにより供給された場合にボディが音声を発するように、ボディに結合された音声周波アクチュエータと、ボディでの音声振動を感知するように、ボディ又は隣接するボディに結合された音声センサとを備え、センサはコントローラに接続され、これにより、コントローラは、感知された音声振動の所定の特徴を検出し、それに応じて警告信号を出力するように構成されている。【特許請求の範囲】
【請求項１】
音声信号がコントローラにより供給された場合にボディが音声を発するように、該ボディに結合された音声周波アクチュエータと、
前記ボディでの音声振動を感知するように、前記ボディ又は隣接するボディに結合された音声センサとを備え、
該センサは前記コントローラに接続され、これにより、前記コントローラは、前記センサにより感知された前記振動に応じて、前記アクチュエータに供給された前記音声信号を変更するように構成されていることを特徴とするオーディオシステム。
【請求項２】
音声信号がコントローラにより供給された場合にボディが音声を発するように、該ボディに結合された音声周波アクチュエータと、
前記ボディでの音声振動を感知するように、前記ボディ又は隣接するボディに結合された音声センサとを備え、
該センサは前記コントローラに接続され、これにより、該コントローラは、感知された前記音声振動の所定の特徴を検出し、それに応じて警告信号を出力するように構成されていることを特徴とするオーディオシステム。
【請求項３】
前記アクチュエータ及び前記センサは、同一のボディに結合されていることを特徴とする請求項１又は２に記載のオーディオシステム。
【請求項４】
前記センサは、前記アクチュエータに組み込まれていることを特徴とする請求項３に記載のオーディオシステム。
【請求項５】
前記アクチュエータは、磁歪アクチュエータであることを特徴とする請求項１乃至４のいずれかに記載のオーディオシステム。
【請求項６】
前記センサは、圧電装置であることを特徴とする請求項１乃至５のいずれかに記載のオーディオシステム。
【請求項７】
前記ボディは、剛性又は柔軟なパネルであることを特徴とする請求項１乃至６のいずれかに記載のオーディオシステム。
【請求項８】
前記パネルは、建築物又は車両のシーリングパネル、ウォールパネル、フロアパネル又は窓枠であることを特徴とする請求項７に記載のオーディオシステム。
【請求項９】
前記コントローラは、前記センサからの出力の所定の特徴を備える音声信号を検出し、前記特徴に応じて選択された音声出力信号を、前記アクチュエータに供給するように構成されていることを特徴とする請求項１乃至請求項８のいずれかに記載のオーディオシステム。
【請求項１０】
検出された前記特徴は周辺ノイズを示し、前記出力信号は前記周辺ノイズの一定のマスキングを提供するために適用されたホワイトノイズ又はピンクノイズのようなランダム音声信号であることを特徴とする請求項９に記載のオーディオシステム。
【請求項１１】
検出された前記特徴は前記アクチュエータに供給された前記音声信号の品質を示し、前記コントローラは、スペースで発せられた音声を向上させるために、検出された前記特徴に応じて前記供給された音声信号を修正するように構成されていることを特徴とする請求項９に記載のオーディオシステム。
【請求項１２】
前記所定の特徴は、前記ボディへの損傷を示すことを特徴とする請求項２に記載のオーディオシステム。
【請求項１３】
前記所定の特徴は、スペース内で人により生成された音声を示すことを特徴とする請求項２に記載のオーディオシステム。
【請求項１４】
前記警報信号は、可聴及び/又は可視アラームを出力させることを特徴とする請求項２、１２又は１３に記載のオーディオシステム。
【請求項１５】
前記警報信号は、前記スペース内の照明及び/又は過熱の動作を制御するために用いられることを特徴とする請求項１３に記載のオーディオシステム。
【請求項１６】
前記警報信号は、前記アクチュエータへの音声信号の供給を制御するために用いられることを特徴とする請求項１３に記載のオーディオシステム。
【請求項１７】
剛性面に関連したマイクと、
周辺音声を検出するために前記マイクに接続され、検出された前記音声に対して逆位相の制御信号を生成するために配置された制御手段と、
前記制御信号が供給されるトランデューサとを備え、
該トランデューサは、面が前記マイクに隣接する領域の前記周辺音声の振幅を減らす音波を発するように、前記面に配置されていることを特徴とするノイズコントロールシステム。
【請求項１８】
前記トランデューサは、音声周波磁界の影響に基づく負荷の変更が前記面への音波を引き起こす超磁歪材料（ＧＭＭ）素子を備えることを特徴とする請求項１７に記載のノイズコントロールシステム。
【請求項１９】
前記マイクに隣接する制御信号スピーチからフィルタする手段を備えることを特徴とする請求項１７又は１８に記載のノイズコントロールシステム。
【請求項２０】
請求項１７、１８又は１９のいずれかに記載のノイズコントロールシステムが設けられたテーブル。
【請求項２１】
請求項１７、１８又は１９のいずれかに記載のノイズコントロールシステムが設けられたバー又はカウンタ。
【請求項２２】
音声信号がコントローラにより供給された場合、ボディが音声を発するように、フラットパネルではない前記ボディに結合された音声周波アクチュエータを備えることを特徴とするオーディオシステム。
【請求項２３】
前記ボディは、筒体であることを特徴とする請求項２２に記載のオーディオシステム。
【請求項２４】
前記筒体は、ストリートファーニチャ又はその支持具の品物であることを特徴とする請求項２３に記載のオーディオシステム。
【請求項２５】
前記筒体は、サインのための支持ポストであることを特徴とする請求項２４に記載のオーディオシステム。
【請求項２６】
前記筒体は、断面では、非筒体であることを特徴とする請求項２３乃至２５のいずれかに記載のオーディオシステム。
【請求項２７】
前記音声周波アクチュエータは、前記筒体内に取り付けられていることを特徴とする請求項２３乃至２６のいずれかに記載のオーディオシステム。
【請求項２８】
前記音声周波アクチュエータは、音声周波磁界の影響に基づく負荷の変更が面への音波を引き起こす超磁歪材料（ＧＭＭ）素子を備えるトランデューサであることを特徴とする請求項２２乃至２７のいずれかに記載のオーディオシステム。
【発明の詳細な説明】
【技術分野】
【０００１】
本発明は、オーディオシステムに関する。本発明は、一つの態様では、強い力、広帯域音声アクチュエータの付加による、例えば、剛性又は柔軟パネルなどの別の非応答体の変換に関し、慎重な音声又はノイズマスキングを提供するために、又は、安全目的のために攻撃を感知するために、音声信号を発信及び/又は受信することのできるスマートサーフェス（高性能面）を作り出す。本発明のオーディオシステムを、多数のこのようなパネルが作動した場合に、音響中心特性又は密閉音量に関連した単一のスマートサーフェスを提供するものとして表すことができる。
【０００２】
影響を受ける音量を、固定又は可動の単一又は多数のスマートサーフェスの配置とすることができる。
【０００３】
また、本発明の更なる態様は、これらのスマートサーフェス又は構成要素から発せられたノイズレベルのコントロールに関し、変換された面又は構成要素から、音声マスキングの領域（又は音量）、又は、高いレベルのノイズコントロールを作り出す。
【背景技術】
【０００４】
フラットパネルラウドスピーカは周知であり、通常、パネルの一面に取り付けられた音声トランデューサを備える積層プラスチック、カード又は木材の剛性パネルからなる。通常のトランデューサは、可動コイル電磁装置又は圧電装置である。
【０００５】
同様に、周辺ノイズの影響を明確に低減するために、音声信号を再生又は信号をマスキングするための従来の円錐型方向スピーカも周知である。
【０００６】
また、例えば、同時係属出願中の国際特許出願ＰＣＴ/ＧＢ０２/０１１１１に記載及び請求されている種類の磁歪装置も知られている。これらの装置は、特に、大きなパネルが音を出すように作動させる必要がある場合に用いることができる。磁歪アクチュエータを用いて大きなパネルが音を出す効果は、同時係属出願中の出願に記載されているように、配信平面信号として、パネルを介して音波を配信することである。磁歪アクチュエータを用いて大きなパネルが音を出す効果は、配信平面信号として、パネルを介して音波を配信することであり、同時係属出願中の出願に記載されている通りである。この種類の信号は、振動配信は、パネル又は構造体の全体の範囲を超えて配信するが、距離を削減し、しかしながら、駆動アイテムの全体の範囲を超えてより平坦な一貫した音声出力を作り出す。
【発明の開示】
【発明が解決しようとする課題】
【０００７】
本建造物又は仮設建造物では、多くの異なる目的のために設置された多数のオーディオ及びセキュリティシステムが知られている。これらは、音声再生、公共アナウンス、補助緊急事態アナウンス、マルチメディア及びプレゼンテ―ション増幅を含む。また、いくつかの設置は、アクティブサウンドマスキングシステム又はパッシブ遮音と、プライバシースクリーニングパネル又はアクティブオーディオシステムとを含む。更に、対侵入者装置、対スパイ装置又は破壊検出装置は、特に、低い窓又は簡単にアクセス可能な窓に頻繁に固定されている。
【０００８】
一般的に、音声再生は、多数の円錐型スピーカ又はフラットパネルを用いて行われる。
通常、マルチメディアは、専用円錐型スピーカシステムを設置することにより得られる。
【０００９】
一般的に、公共アナウンスは、多数の円錐型スピーカ又はフラットパネルを用いて行われ、時には、音声再生システムを用いて行われる。
【００１０】
一般的に、緊急事態アナウンスは、多数の円錐型スピーカ又はフラットパネルを用いて行われ、時には、音声再生システムを用いて行われる。
【００１１】
アクティブサウンドマスキングは、しばしば、パーソナルエリアの上又は部屋のコーナの頂点に円錐型スピーカを正確に配置し、例えば、テーブルの周りなどの人々が通常集まる部屋の中心部に円錐型スピーカを下に向けて配置することにより行われる。また、フラットスピーカーもこの目的に利用することができる。殆どの場合、その配置態様は、この目的の専用とされる。
【００１２】
通常、アクティブプライシースクリーニングは、しばしばこの目的専用の多数の円錐型スピーカ又はフラットパネルを用いて行われる。
【００１３】
一般に、パッシブ遮音は、１つの部屋又は領域から別の場所へ音声の伝達を削減するために、建造物に利用される。
【００１４】
対周辺侵入者装置は、通常、窓及びドアに配置され、妨害された場合の動き又は振動を検出する。
【００１５】
対破壊システムは、通常、動きを検出するために設計されたビデオカメラ、赤外線及び侵入者装置を備える。
【００１６】
対スパイ問題は、関連のある場所で重要であり、更なるパッシブセキュリティシステム、即ち、窓シャッタ又はスクリーンが対象である。
【００１７】
いくつかの国では、例えば、スウェーデンでは、個人が罪を犯し又は法律に反していることが知られていない限り、個人を監視するＣＣＴＶは許可されていない。
【００１８】
多くの建造物からもわかるように、システムデザインの分裂は、しばしば、多くのオーディオ及びスクリーニングシステム、カメラ及び検知装置をもたらし、過剰費用及び無駄な資源をもたらす。
【００１９】
ヨーロッパ及びアメリカ（ＨＰＰＡプライシー基準）での建築基準におけるノイズ及びそのコントロールに関する新しい法律は、上記のいくつか又は全ての種々の機能性を一つの設置分類に結合する要望を導入し、建築家、指示子及び建築物契約会社の様々な要求を満たす新たなアプローチを作り出す機会を提供する。
【００２０】
また、これは、電話の相手側の受信者が話しの内容を聞くことができることを保障するためのマスキングだけではなく、プライシーを必要とする電話をかけることが可能な場所、例えば、コールセンタ又はナイトクラブなどの高いノイズ環境でのノイズのコントロールに関連している。
【００２１】
更に、情報通信、特に、視覚障害のある人々に関するヨーロッパの新しい障害法は、公共の場所で情報及び方向を提供するものに新しい基準を課している。この新しい法律は、地方公共団体、展覧会主催者及び公共スペース組織者に挑戦し、その法律で規定されたものに対して、音声出力を提供するための新しいアプローチを作り出していることがわかる。
【００２２】
本来、音声信号を発信するように設計されていない面及び構造体を、ポジティブ音声（ボイスミュージックなど）を発し、又は、信号をマスキング又はスクリーニングする音声発信面又は構造体に変換するアプローチは、消費者又は顧客の観点からだけではなく、商業上、立法上又は設置上の観点から、非常に有益であることが分かる。  
【００２３】
公共のスペースで情報を提供するラウドスピーカ又はパネル音声エミッタの利用では、通常、パネル又はラウドスピーカから発せられる音声は、一定音量、又は、不平又は要望に応じて手動で上げ下げできる。これは、発せられた音声が異なる時間で大きすぎ又は小さすぎるように、不便であり、周辺ノイズレベルの変化に起因する。ラウドスピーカがエミッタとして利用されると、このエミッタの点光源は、音声がしばしば必要な領域を越えて伝達され騒音公害をもたらすことを意味する。
【００２４】
車の速度が速くなることにより周辺騒音レベルが上がったとき、この周辺騒音レベルの上昇に伴ってラジオからの音量が増大させる自動利得制御（AGC）回路が車に利用されていることは周知である。また、周辺雑音レベルが高い場合でも、音量を大きくすることなく小さい音で音楽を聞くことができるように、車のラジオの大きなラジオ出力を削減するために、信号比較が用いられることが知られている。これら両機構は、ドライバーが音量コントロールを常に調整することを避けるために設計されている。これらの方法は、厳密に規定されたスペースでの音量（例えば、ヘッドフォン）に利用されない限り、点光源エミッタ、ラウドスピーカをこれらの方法でコントロールすることができないということが見出されている。音声が、音声に気が付く（領域の下端）、音声が聞こえる及び音声理解することのできる（領域の上端）周辺ノイズレベルよりも大きいほんの少しのデシベルのみである必要があることは知られている。
【００２５】
ＰＣＴ出願ＰＣＴ/ＧＢ０２/０１１１１には、例えば、店の売店、店の窓、又は、電車及びバスのパネル及び窓を広告又は情報メディアとして用いるように駆動させるために、アクチュエータ、特に、磁歪アクチュエータが適用された例が記載されている。
【課題を解決するための手段】
【００２６】
本発明は、建築物及び車両を構築する面、パネル及び構成要素と、サイン、テーブル、バー、壁、仕切板、スクリーンデスク、カップボード及びキャビネットのような日々の生活に利用される多数の製品とを、音声信号を用いた直接刺激により、又は検知システムに応じて音声信号を作り出すことにより、パネル又はパネルを支持する構造体に取り付けられた一つ又は多数のアクチュエータにより音声的に駆動させるシステムソリューションに関し、これにより、あらゆるレベルの機能性を達成するスマートサーフェスを作りだす。しかしながら、本発明は、ここで記載された全てに限定されない。
【００２７】
本発明は、例えば、閉鎖スペースで使用されるオーディオシステムを提供し、該オーディオシステムは、音声信号がコントローラにより供給されるとパネルが音声を発するように、例えば、前記閉鎖スペース内又は規定の前記閉鎖スペースでパネルに結合された音声周波アクチュエータと、前記パネルの音声振動を感知するように、前記パネル又は隣接するパネルに結合された音声センサとを備え、該センサは前記コントローラに接続され、これにより、該コントローラは、前記センサにより感知された前記振動に応じて、前記アクチュエータに供給された前記音声信号を変化させるように構成されている。
【００２８】
本発明の別の態様でのオーディオシステムによると、オーディオシステムは、音声信号がコントローラにより供給されたときにパネルが音声を発するように、該パネルに結合された音声周波アクチュエータと、前記パネルで音声振動を感知するように、前記パネル又は隣接するパネルに結合された音声センサとを備え、該センサは前記コントローラに結合され、これにより、該コントローラは、前記感知された音声振動の所定の特性を検出し、それに応じて警告信号を出力するように構成されている。この出力を音声とすることができ、この出力は、例えば、ＣＣＴＶカメラ又はリモートアラームなどのリモート装置を始動させることができる。
【００２９】
本発明の更なる別の態様は、付近における周辺ノイズへの知覚減少効果を有する音声信号を提供する装置に関し、これにより、マスク源と利用者との近さにより、周辺ノイズは、より低く又は説得力がないことがわかる。この効果は、脳がマスクを優先信号として理解する方法による心理音声効果とすることができ、その結果、周辺ノイズは減少する。
【００３０】
本発明の更なる態様は、高いレベルの周辺ノイズにも関わらず、改善された方法で利用者がタスクを実行できるように、制御の下でノイズレベルに影響を与える方法及び装置を提供する。一つの実施例では、この方法及び装置を、周辺ノイズを選別する音声信号を作り出すために、大きな面のエミッタが利用されるクラブ、バー又はレストランで利用することができ、これにより、通常ノイズが除去され、会話、通話又は低いレベルの周辺ノイズが可能になる。
【００３１】
音声周波アクチュエータを、内面的に又は外面的にパネルの構造体に組み込むことができ、又は、音声周波アクチュエータを、回顧的に、既存のパネルに固定することができる。
【００３２】
好ましくは、これは、音声再生、公共アナウンス、補足緊急事態アナウンス、マルチメディア及びプレゼンテーション振幅を含む。また、本発明は、対外部スパイ安全保障と、侵入者及び破壊行為検出感知とに対応するのみならず、内部ノイズ管理、個人のプライバシースクリーン、ルームプライシースクリーン及び外部ノイズ管理に対応する。
【００３３】
アクチュエータが剛性パネルに結合された場合に見られる音声出力は、パネルの両側に音声を送信する。その効果は両側で略同等である。これは防音材を利用して調整することができ、これにより、パネルの一面は、泡、ゴムシリコーン又は類似物のような柔らかい充填材料、又は、バッフル又は反射性材料を用いて他面から防音され、信号が主に一方向であることを確実にする。しかしながら、場合によっては、双方向通信の利用は、客室内及びプラットフォームでの音声が利点である、例えば、電車の窓にとって貴重である。同様に、検知システムが組み込まれている場合は、パネルの一面を検知し、他面に作用する（例えば、ホテルの一室で部屋間のノイズ効果を低減する）。同様に、二重ガラスユニットでは、アクチュエータは、前面の内側に設けられ、ガラスの外面の動き又は圧力を感知する。
【００３４】
また、この技術を、例えば、地図又はタイムテーブルなどの視覚イメージだけではなく音声信号を伝えることを可能とするように、構造体の変換に適応することができる。視覚障害者のために提供する調整装置の役割への需要の高まりは、通常、音声発生と関わりのない多くの情報源から音声を提供するという要求を増大させている。従来の音声再生方法は、方向特性によりノイズ公害を引き起こし、そのノイズ公害により制限される。音声アクティブ面又は構造体は、騒音公害を増大させずに、スマートサーフェス又は構造体の製造者が新しい規定に適合することを可能にする。本発明では、パネルは、駆動フレームとの関係の結果として駆動し、音声発生配置への変更を必要とせずに、自由自在に視覚像を変更することができる。音声ダイナミックの駆動平面は、広範囲の音声距離を越えて低いレベルの音声を作り出すソースサウンドの一つのフラットパネルとして機能する多数の小さな点源を表す傾向にある。
【００３５】
他では、アクチュエータの位置決め精度は、パネルの能力にとって必要不可欠であるということを主張しているが、磁歪の大規模な出力は、利用者の視界（使い捨て又は透明の場合）、ビジュアルデザイン及び特性、又は、サイン又は構造体が有する他の機能性に影響を与えない構成要素内又は他の適切な場所に、アクチュエータを慎重に位置決めすることを可能にする。
【００３６】
単純な形状で音声表記又は音声構造体の機能性を提供するシステムは、視覚パネル又は構造体に音声信号を提供する信号生成器である。
【００３７】
ノイズ管理のための検知能力を含むより複雑なシステム及び他のレベルの機能性を、このシステムに内蔵することが可能であることは当然のことである。このシステムがデジタル信号処理システムに結合された場合、使用者が統合されたタッチパネル又は検知システムを用いて問い合わせることを選択すると、特定の表記又は表記構造体を外部から又は局所的に監視、扱うことができる。この方法では、攻撃、問い合わせ（接触）又は特定のノイズ削減信号を、プロセッサにより特定サイン又はサイン構造体に送信することができる。
【００３８】
このアプローチが、例えば、国家輸送システム表記構造体で利用されると、双方向検知システムを装着したシステム内のサインを、インターコム又は通信システムとして、同様に装着されたシステムで他のサインへのコミュニケータとして用いることができる。また、国家最新情報もこのメディアを介して提供することができる。
【００３９】
各装置が自身の信号増幅器に取り付けられ、又は、中央プロセッサから規定されると、システムのいずれかの時点で問い合わせを行う能力を、信号又は構造体の近接した軌跡内での音声再生に限ることができ、又は、全てのネットワークを通じて送信することができる。
【００４０】
これは、全体のネットワークを通じて又は軌道ベースのみで配信するために、中央デジタル音声が保存されることを可能にする点で有利である。
【００４１】
この高性能面の音声性能は、視覚像のみを伝達するために用いられるグラフィック材料への装置の変更又は付加に依存していない。この視覚像は、繰り返しの使用の利便性のために交換式又は使い捨てとすることができる。本発明によると、公共及び商業スペースでの使用のために、別の非音声設計製品又は構造体（例えば、情報サイン又はバスシェルタ、又はその要素）を変換する音声システムを特色とする剛性部材の構造体を提供し、該構造体は、同様の装置へのラジオリンク又は音声信号生成器と、音声信号がコントローラにより供給された場合に、構造体及びパネルが音声を発するように、構造体の一部に結合された一つ又は多数の音声周波アクチュエータとを備える。その装置のいくつかの明示では、すぐ近くの音声周波振動を検知するために、音声センサはサイン又は構造体に結合され、センサはコントローラに接続され、これにより、コントローラは、センサにより感知された振動に応じてアクチュエータに供給された音声信号を変更するように構成されている。
【００４２】
本発明は、磁歪アクチュエータに限定されない音声装置を提供し、この磁歪アクチュエータは、多数の機能性を提供する構造体部材又は部材に結合される。この多数の機能は、構造体の軌跡内で構造体の反対側からの外部ノイズの活性音声マスクキングだけではなく、地方公共アナウンス、対外公共アナウンス、公共タイムテーブル情報、プロモーションメッセージ、娯楽目的の音楽再生及び緊急事態アナウンスの提供を含む。更に、音声圧力又は物理的圧力（物理的破壊又は攻撃）に反応することにより、又は、スクラッチ又は書き込みが行われた場合の道具又はペンの影響を認識することにより、その外面への活動を賢明に感知するように調整できるように、坑攻撃又は破壊検出を、アクチュエータの機能として含むことができる。
【００４３】
構造体及びその面の構成を変えることができ、共通の特徴は、剛性の(少なくとも１つの軸)ガラス、プラスチック、木材又は他の透明、半透明又は不透明仕上げのシート材料の少なくとも一つの大きなパネルと、アルミニューム、ステンレススチール、ペイントスチール、MDFガラス、プラスチック、シートGRC、GRP、木材又は木材パネル、又は、従来の表記及び広告又はバスシェルターマーケットに用いられる他の材料の支持構造とである。
【００４４】
強い力、広帯域音声アクチュエータを用いて、情報、広告又はプロモーションの目的のために、音声信号の付加が有利である公共、公共アクセス又は商業場所に、スマートサーフェス又は構造体を利用することができ、ローカル音声信号を生成する目的のために、サインの構造体の多くの要素を用いる音声信号を作り出す。アクチュエータへの入力を、いかなる音声信号発生器、ＣＤ、ミニディスク、ＰＣ、メディアサーバ又はＭＰ３、又は、いかなるタイプのリモート信号発生器からの信号を変換するラジオリンク装置とすることができる。本発明を、音響中心特性に関連した構造体の単一の駆動要素、又は、多数の要素が作動した場合のその要素の駆動装置として記載することができる。駆動構造体は、取り外し可能な視覚パネルを受け入れるように設計されており、磁歪駆動の出力が、全体の構造体の周りの音響軌跡を作り出す視覚パネルの大きな支出を経て振動を送るために十分であることを保障する。
【００４５】
スマートサーフェスは、利用者がエリア内で特定の区域を見つけることができることを目的するプリント情報だけではなく、エリアのフロアプランを示すプリント情報を含むことができる。情報の可聴なサウンドバイトを進めるために、利用者がサインの特定のエリアをタッチすることができるように、誘導的容量性又は他の感知装置のいくつかの形を利用するオーバーレイタッチパネルを用いる。地方公共団体情報サービス又はタイムテーブルと併せて利用されると、指示及び情報を利用者に聴覚で伝えることができる。
【００４６】
システムソリューションとして、高性能面及び構造体が、公共及び商業スペースの多くのエリアで有利であることは当然である。その多くのエリアは、視覚障害者のために変更可能な公共情報又は聴覚メッセージが近い将来の法律により必要とされる場所、又は、文字情報を強化又は支持するために、より深いレベルの情報が必要とされる場所である。例えば、誰かがサイン又は構造体に近づくように、断続反応音声出力が必要とされる場所では、シンプルな赤外線又はＰＩＲ検出器を、人のアプローチを認識し音声メッセージを誘起する組立体に組み込むことができる。
【００４７】
情報の外部更新を、スマートサーフェス又は構造体に隣接する誰かに聞こえるように送信する必要がある場合は、送信及び検出の組み合わせを用いることができ、音声信号が空のスペースに送信されていないことを保証し、検出可能なすぐ近くの誰かにより要求された場合に、システムを通信のみに強制することができる。
【００４８】
また、広告主からのメディア会社への圧力は、可聴式のメッセージ及び情報を含むように二次元メディアの印刷広告を拡大する要望を示し、コントロールされていない場合のデジタル信号の使用の大規模な拡大は、望まれなく又は受け入れられない環境でノイズの不協和音を作り出すことができる。
【００４９】
更に、高性能面を、バー及びレストランのような公共の場所でのノイズのコントロールに適応することができる。これらの公共の場所での周辺の会話からバックグラウンド音楽、食べ物又は飲み物の給仕に関わるノイズまでの高いレベルのバックグラウンドノイズは、プライベートな会話又は優れた聴覚を持つ人々の会話でさえも困難にする。同様に、本発明は、磁歪アクチュエータを用いてノイズの局所発生及びコントロールのためのシステムを提供することがわかる。改善されたノイズコントロールシステムを作りだすために、磁歪アクチュエータは、テーブル面、バー、天井又は床の下又は中に取り付けられた平らな剛性材料の大きなパネル、ウォールパネル、又は、通常、音声出力と関連していない他の選択エリア又は構造体を駆動するように取り付けられている。このシステムは、電話をかける人がノイズ源に近接していても通話が可能となるノイズコントロールが必要とされる、例えば、クラブ又はバーで利用することができる。このシナリオでは、周辺ノイズを妨害するマスクキング信号を送信するために、パネル材料を用いることができる。平面マスクキング信号の周辺では、より一定のホワイト又はピンクのマスキング信号の心理音響効果により会話が容易になり、また、マスキング信号により影響を受ける電話のマイクを用いずに通話を行うことができる。この場合、敏感な電話のマイクと抵触しないように、生成信号は、適切な周波信号を用いて設計される。
【００５０】
同様に、互いに近接して働く高密度のオペレータが存在するコールセンタ（通常、６フットピッチ）では、同時に話すオペレータにより生成されたノイズの不協和音をマスクする必要がある。机又は壁を心理音響的に駆動する磁歪アクチュエータを用いることにより(本質的に、電話をかける人の近く)、オペレータは、マスクのより一致した音声及び小さなバックグラウンドノイズを聞き、電話のマイクと抵触しないように、周波数がコントロールされると、受信者は、マスクの付加のために知覚されたバックグラウンドノイズの低減されたレベルから利益を得ることができる。
【００５１】
システムソリューションとして、本発明が、費用効率の高い音声設置を含む家庭用及び商業用建築物、多くの種類の交通機関及び仮設及び緊急構造体の多くのエリアに有益であることは明らかである。本発明は、追加の機会により慎重且つ容易に計画に設計する。本発明は、新たなに起こる高い要求の建造物、宿泊施設、情報、プライシー基準に応じて、より費用効率ガ高く、より信頼性があり、アドレス可能であり、未来保証である。本発明を、以下に述べるように、磁歪アクチュエータの付加により音声出力に変換されるテーブル、サイン、バー及び十分な剛性及び完全な要素の他の組立体などの構造体の変換に適応することができる。
【００５２】
本発明の別の態様によると、磁歪アクチュエータに限定されない音響装置が提供される。磁歪アクチュエータは、多くの機能性を提供するパネルに音声的に結合されており、多くの機能性は、エンターテイメント目的の音楽再生、対外交的アナウンス、広告目的、地方公共アナウンス、外部補助緊急事態アナウンス、マルチメディア再生及びプレゼンテーション振幅、パネルの反対側からの外部ノイズのアクティブサウンドマスキング、パネル又は構造体の中心内のプライバシースクリーニング及びルームプライバシー又は局所プライシースクリーニングパネルを含む。更に、対侵入者、対スパイ又は破壊検出装置を、パネルの状態を監視するシステム能力の機能として含むことができる 
【００５３】
また、アクチュエータは、音圧又は物理的圧力（風のノイズ、物理的破壊又は攻撃）に反応すること、又は、スクラッチ又は書き込みの際の道具又はペンの影響を認識することにより、その外面への動きを理知的に感知することができる。
【００５４】
そのシステムの対スパイの面は、同時係属出願中の国際出願ＰＣＴ/ＧＢ０２/０１１１１に記載され請求されている。
【００５５】
外力、音圧又は物理的圧力の検出は、好ましくは、本体に取り付けることのできるアクチュエータに組み込まれたセンサ又はリモートセンサを介して行われる。このセンサを、アクティブコアの上又は下で、Ｔｅｒｆｅｎｏｌ−Ｄ材料（又は他のＧＭＭ）の第２機能としての磁歪アクチュエータ、又は、励磁による圧電装置に一体化することができる。このセンサの機能は、実際の出力信号を感知又はアクティブ装置を指示するために感知することである。
【００５６】
特定の種類の落書では、スクラッチによりガラスの面に損傷を与えるために、硬質道具又は同等物が用いられる。これは、ガラスに深刻な視覚効果を与え、通常、オランダ落書き（Dutch Graffiti）と称されている。別の形態の落書きは、マーカペン及びエアロゾルスプレイペイントによるものである。いずれの場合にも、異なる音声信号が、一体化又は別体に取り付けられたセンサにより感知されたガラス又は面で検出可能である。硬質道具の場合、２５０Ｈｚから１２ＫＨｚの領域で明確なサインを認識することができ、信号がコントローラに送られる。
【００５７】
対落書き感知及び外周囲ノイズ感知の場合、これらを多くの方法により感知することができる。エンコーダインターフェイスボックスは、例えば、マーカペン又は硬質道具などを予測する一つ以上の種類の信号を調べるために設定され（前もって設定されたシーケンス又は周波数の選択を判断することにより、又は、別の方法）、又は、飛行機又は交通ノイズのような外部ノイズと関連する傾向を調べるために別の方法として設定される。いくつものプリセット又は学習アルゴリズムを、逆位相信号を追求及びマスク、又は、スクリーン又は出すために用いることができ、感知されたノイズの影響を補い又は削減する。これは、上述の通り、例えば、建築現場などの外側からのノイズ、隣接する部屋又はスペースからのノイズ、道具、又は、アタック又は破壊などの特定の信号からのノイズ、または、部屋の一部での会話又は議論をマスクするローカル周辺ノイズスクリーンを作り出すことを含む。
【００５８】
音を出す面又はパネルは、例えば、窓として利用される場合、便利な一般的な長方形であるが、本発明は、特定の形又は目的を有する高性能面の使用に限定されない。
【００５９】
スマートサーフェスを、十分な剛性特性を示し、磁歪アクチュエータを用いて音声の生成を支持する壁、ドア、天井、床、縦パネル、横パネル、テーブル、大きな構造体の要素又はほかの材質とすることができる。多くのスマートサーフェスを一緒に取り付けることができ、部屋又は一般的に側面により接合された多数のスペース（例えば、バス停）を作り出すことができる。その部屋を、仮設建築物又は内蔵式のキャビンにあるような一つのモジュールとすることができ、又は、建築物にあるような多数の部屋の一部とすることができる。その部屋を、大きな部屋の中で完全に壁によりふさがれていない領域とすることができる。その部屋を、静止且つ地面に固定することができ、又は、可動性のある輸送システムの一部とすることができる。上述の通り、音声環境を規定するために、同じ発明を使用する代わりのスマートサーフェスにより、異なる機能性で、その部屋を細かく分割することができる。
【００６０】
スマートサーフェスの構造を変えることができ、その共通点は、従来の建造物及び輸送産業に用いられるガラス、プラスチック、金属、MDF、シートGRC、GRP、プラスタボード、乾式壁、木製パネル又は他の材料を含む剛性（少なくとも１軸）及びサイズである。
【００６１】
スマートサーフェスを、コア及び追加の機能性外板を有する異なる種類の材料を用いた複合構造とすることができる。そのコア及び外板は、例えば、仮設建造物構造のためのインシュレーションボード、構造的完成性外板、太陽反射シート、フォームコア、構造体ハニカムコア、エアロスペースアルミ二ウムハニカムコア、波形コア及び押し出しポリカーボネイト又は同様の構造のシート、及び、その構成に不可欠な防音膜。パネルの量を、少量（小さな窓パネル）から大規模な４００＋Kｇの板ガラス又は適切な指示構造体に停止又は接合された一つの外板天井シートとすることができる。
【００６２】
好ましくは、アクチュエータは、超磁歪材料（ＧＭＭ）アクチュエータであり、例えば、同時係属出願中の国際特許出願ＰＣＴ/ＧＢ０２/０１１１１に記載され、請求されたタイプのアクチュエータ、又は、そのアクチュエータの大規模なものである。好ましくは、アクチュエータは、例えば、接着材又はネジの物理的な保持システム及び取付金具により、構造体内又はパネル内又はパネル上に慎重に結合され、回顧的に固定されている。
【００６３】
上述の本発明の態様により生成された音声信号を、上述の通り、多くの異なる目的のために高い周辺ノイズに対応するポジティブ音声信号又は明白なネガティブ音声信号とすることができる。
【００６４】
更に、本発明の音声装置は、周辺ノイズのマスキング又は知覚削減に適応される。その装置を、装置に組み込まれ又は装置から離れて取り付けられたセンサ、組込型又はリモートマイク、物理的な場所からの距離及びノイズ削減に集中する種類、マイク又はセンサにより受信されたノイズに対応するホワイト又はピンクノイズのようなスクリーニング信号又は逆位相マスキング信号を生成するスクリーニングコントローラと結合することにより、その装置を、部屋での知覚ノイズ、部屋に入ってくるノイズ又は部屋の一部にのみ影響を与えるノイズを削減するように構成することができる。同様に、これは、部屋の規定に適合した音声生成器に変換される構造体にも適応することができる。ノイズ削減を、広域スペクトル効果を得るように、又は、選択された周波数バンドの振幅を削減するように構成することができる。例えば、そのレイアウトを構成することにより、必要な場合に、周辺ノイズ検出により誘起され、又は、スイッチがいれられることにより、局所的に作動させるように構成することができる。これにより、領域の周りに比較的高質な壁を必要とせずに、天井、床又は隣接するウォールパネルを作動させるだけで、例えば、一時的に静かな領域を開放感のある間取りのオフィス等に設けることができる。同様に、ふさがった場合のベッドの上又は下のスマートサーフェスを作動させることにより、例えば、病院で患者のプライバーシーを提供することができる。また、これは、別の部屋を必要とせずに患者により静かな状態を提供するという点でも有利である。
【００６５】
例えば、航空機ノイズを検知し削減する、例えば、窓又は二重ガラス、又は、建造物への建築現場のノイズ伝達に、断続的な反応のスマートサーフェスが必要とさた場合は、より正確な感知を行うために、アクチュータにセンサを組み込み、そして、外側のガラスパネルにアクチュエータを取り付けることが好ましい。
【００６６】
また、建造物調整者への高まる需要は、仮設建造物の内外からの防音への要求を高めている。現在利用されている工法は、このような種類の建造物に対して防音することができるノイズの量に限定されており、より多くの材料（重さ又はコスト）が追加されない限り、人間の住む場所には適していない。アクティブスマートサーフェス音声スクリーンのこれらの建造物の外側パネルウォールへの組み込みにより、製造者は、材料の内容及び重さを大幅に増大させずに、これらの新しい規制に合致することが可能となる。
【００６７】
外部のトラックのノイズ又はトンネルのノイズが削減又はマスクされる必要のある電車で、  アクティブスマートサーフェスを用いることができる。
【００６８】
他のものは、アクチュエータの位置決め精度は、パネルの性能に大変重要であることを主張しているが、磁歪の大規模な出力電力は、利用者の視界（ガラスの場合）又はスマートサーフェスが有する他の機能性に影響を与えないスマートサーフェスの隅又は他の適切な場所に、アクチュエータを慎重に位置させることができる。
【００６９】
簡単な形状でスマートサーフェスの機能を提供するシステムは、信号生成器であり、パネル内又はパネル上の装置に音声信号を提供する。これは、エンコーダインターフェイスボックスに備わっている。
【００７０】
感知能力機能を有するより複雑なシステムをこのシステムに内蔵することができ、デジタル処理システムに結合された場合に、特定のスマートサーフェスが監視及び対応されることが可能となることは当然のことである。この方法では、アラーム又は特定ノイズ削減信号を、プロセッサにより処理される特定のスマートサーフェスアドレスに送ることができる。これは、ＣＣＴＶカメラ又はセキュリティのようなアクティブ外部装置を含む。
【００７１】
エンコーダインターフェイスボックスに多くの入力及び出力が必要である。これらは、以下に、概略的に図５に示す。
【００７２】
エンコーダインターフェイスボックスは、完全に普遍的であり、アナログ/デジタルオーディオ、マイク及びセンサを含む多くの種類の装置から入力を受けることができることを意図とする。
【００７３】
同様に、この装置を、磁歪装置に限定されることはないが、上述の磁歪装置を含む多数の装置への出力を監視及び作用するために用いることができることを意図とする。
【００７４】
このアプローチが、例えば、オフィスビルディング内で用いられると、双方向検知システムを装備する窓を、インターコム又は通信システムの形として同様に装備する他の窓への発信機として用いることができる。
【００７５】
各装置が、自己の信号増幅器を装備し、又は、中央プロセッサから規定されると、システム内のいずれかの時点での入力能力を、限られたボリューム又は一つのパネルの中心内での音声再生に制限することができ、又は、全ての装置を通じて送信することができる。
【００７６】
これは、建造物のスマートサーフェスを通じての配信、又は、局所的に組み込まれた面のみへの配信のために、中央デジタル音声の保存が可能になるという点で有利である。
【００７７】
本発明の別の態様によると、ノイズコントロールシステムが提供され、該システムは、剛性面に関連したマイクと、周辺音声を検出するマイクに接続され、検出された音声への逆位相のコントロール信号を生成するように構成されたコントロール手段と、コントロール信号を受けるトランデューサとを備え、該トランデューサは、面がマイクに隣接する領域での周辺音声の振幅を低減する音波を発するように、面に取り付けられている。
【００７８】
好ましくは、トランデューサは、音声周波磁界の影響のもとに負荷の変更が、面への音波を引き起こす超磁歪材料（ＧＭＭ）要素を備える。
【００７９】
他の形状のアクチュエータを用いることもできるが、アクチュエータを、例えば、同時係属出願中の国際出願ＷＯ０１/７２０８４に記載され請求された種類のアクチュエータとすることもできる。
【００８０】
音波を発する、例えば、テーブル又はバーカウンターなどの面を作ることにより、マイクのローカル音声エネルギーは、システムに音声フィードバックを行うために低すぎるが、出された全体のエネルギーは、有効なノイズ削減効果を達成するために十分であることが見出されている。発せられた逆位相又はマスキング信号は、マイクにより受信された音声に基づいているため、ノイズ削減効果は、マイクの近くで最大であり、マイクから遠ざかるに従って小さくなる。最高の効果のためには、複数のマイク及び関連するアクチュエータが必要となる。
【００８１】
好ましくは、コントロール手段は、マイクにより受信した音声をフィルターする、例えば、音声低減プロセスからのフィルターするために構成されており、音声削減プロセスからマイクへの音声をフィルターする。これにより、バックグラウンドノイズを低減しながらマイクの領域での通常の会話を可能とする。
【００８２】
トランデューサは、テーブル面の下面に適切に取り付けられているが、これが適切ではない場合は、上面又は構造体の剛性部に取り付けることができる。マイクを、面の上、又は、ノイズ信号の受信ができるように、面を貫通して設けられた孔を有する面の下に取り付けることができる。
【００８３】
また、本発明は、環境上一定レベルであるように、発せられた音声レベルを変え、ノイズ公害を避ける必要のあるエリア内で一定にとどまるように、発せられた音声エンベロープを形成するための方法を提供する。また、プライベートな会話がマスクされるように、ホワイト又はピンクノイズ又は音声信号のエンベロープ又はカーテン、又は、静かなエリアを形成するために、外部ノイズが弱められる領域又は静かなエリアを作り出すために、それを、用いることができる。
【発明を実施するために最良の形態】
【００８４】
本発明の例示的な実施例を図に示す。
【実施例】
【００８５】
まず、図１及び図２を参照すると、アクチュエータは、基本的に、同時係属出願の国際特許出願ＰＣＴ/ＧＢ０２/０１１１１に記載されている通りである。アクチュエータは、ハウジング１を備える。また、該ハウジングは、反応主要部としての役割を果たし、電磁コイルに囲まれ、永久磁石の間に位置する超磁歪物質(ＧＭＭ)の要素からなるコア２を含む。その要素は、スプリング３により圧縮応力を与えられ、プッシャ４に結合している。プッシャ４は、足部５に接続されており、使用時に、音波が送信される面に対して押し付けられている。圧電検出部６は、アクチュエータが取り付けられた面で、音声信号を感知するようにアクチュエータに組み込まれている。図１に示す例では、検出部６は、足部５の外面に設けられている。一方、図２に示す例では、検出部は、コア２とハウジング１の内面との間に位置する。
【００８６】
図３及び４は、異なる場所で使用される結合されたアクチュエータ及び検出部の異なるタイプを示す。アクチュエータ/検知装置３０は、出願番号ＰＣＴ/ＧＢ２００３/００５６１６に記載された種類であり、コア３１を有する。コア３１は、本体３２と足部３３とを保持するスプリング接続によりコアに取り付けられた足部３３と、アクチュエータの本体３２との間に延びており、コア３１内のＧＭＭ要素にプレストレスを与える。図３では、アクチュエータ３０は、枠の一つに作用するように、密閉二重窓ユニットの間隙を介したガラス枠３４及び３５の間に取り付けられている。圧電検出部３６は、足部３３及び枠３５の間に取り付けられている。図４では、アクチュエータ３０は、プラスタボ-ドウォール又はシーリング部材４１の内面に取り付けられている。プラスタボードウォール又はシーリング部材４１を、通常、頑丈な壁構造体４３に取り付けられた小割板４２に取り付けることができる。また、その壁を、レンガ構造体又はプラスタボード又は他のボードを含む他の建造物構造体とすることもできる。図４に示すアクチュエータ３０は、図３に示すアクチュエータと同じものとすることができ、圧電検出部を、アクチュエータに組み込むことができ、例えば、コア３１と本体３２との間に組み込むことができる。
【００８７】
図５は、本発明のシステムのためのコントローラの典型的な構造を示す。コントローラは、例えば、音楽、アナウンス又は通信のための音声入力５１と、例えば、図１乃至４に示されたコントローラに結合されたアクチュエータの検出部に接続された検出入力５２とが設けられた中央プロセッサ５０を備える。コントローラは、主電源５３を備え、電源バックアップも設けられている。音声出力５４は、パワーアンプ５５に接続されている。言い換えると、これを、例えば、建造物又は車両の多くのアクチュエータに接続することができ、又は、分割給電及びアンプを、個々のアクチュエータ又は別々のグループのアクチュエータに提供することができる。ホワイトノイズ発生器５６は、処理装置に接続されており、検知されたノイズに応じてアクチュエータまたは選択されたアクチュエータにサウンドマスキング出力を提供し、又は、例えば、窓又は他のパネルの振動を監視してスパイを防止する。ノイズ認識モジュール５７は、例えば、カット又はスクラッチによるパネルへの潜在的なダメージを認識するために、センサにより検出された音声信号と、音声サインのライブラリーと比較し、このような信号の検出に応じてアラーム信号を出力する。アラーム信号は、隣接するパネル及び/又はに関連するパネルに音声出力を生み出すことができ、また、メッセージを、通信インターフェイス５８及び通信リンク５９を（例えば、ＲＳ２３２/ＲＳ４８８/ＩＥＥＥ４８８．２/イーサネット（登録商標））を介して遠隔モニタリング場所に送信することができる。
【００８８】
図６は、テーブルの上に設置された典型的な配置を示す。しかしながら、システムが、テーブル又は、実際には、水平面に用いられることに限定されないということは当然のことである。例えば、バー又はレストランでのテーブルは、貫通した中央開口部６１が設けられたテーブル面６０を有する。中央開口部６１には、周辺ノイズを、コントローラ６３に送信される電気信号に変換するためのマイク６２が設けられている。コントローラは、例えば、テーブル面の真下に取り付けられている。コントローラ６３は、適切に、中央処理ユニットを備える。中央演算ユニットは、マイクに隣接するスピーチをフィルターするフィルタオペレーションを行い、以下に述べるように、トランデューサ及びテーブル面から発せられた場合、周辺ノイズに近くように、しかしながら、１８０度の位相の不一致となるように、残りの信号の位相を移すうようにプログラムされている。これにより、実質的には、少なくともマイクの近くの領域では音声は消される。この効果は、テーブルに座った人々が、マイクが配置されたテーブルの中心に向かって内側に傾いた場合、通常の周辺ノイズの削減を経験することであり、より容易に会話を聞くことが可能になる。コントローラ６３からの出力信号は、図７を用いて以下に詳細に説明するＧＭＭトランデューサ６４に送られる。後に音声を発するためにラウドスピーカとして作用するテーブル面に音声信号を結合するために、ＧＭＭトランデューサ６４は、テーブルの下面に取り付けられている。
【００８９】
通常のバックグラウンドノイズを圧倒するために客が大声を上げる必要がなく、バーデンダー又はフードサーバが、このシステムの一部を形成するマイクの近くでの注文の話を聞くことができるように、このシステムを、サービングカウンター又はバーカウンターに取り付けることができる。
【００９０】
図７を参照すると、ＧＭＭトランデューサは、以下に述べる通り、磁石のための返還磁路を提供する、例えば、スチールのケーシング６５を備える。ケーシングには、力を送ることが可能な、例えば、アルミニューム又はセラミック材料の非磁性スペーサ６７を有する超磁歪材料のロッド６６が設けられている（利便性のためには、両端に２つのＧＭＭを備える）。ＧＭＭロッド６６が、ロッドの幅より実質的に大きな径を有する一対のディスク磁石６８から間隔をあけるように、非磁性スペーサ６７は、ロッド６６の両端に設けられている。プラスチックコア６９は、ＧＭＭロッド６６及びスペーサを位置付け、保持する役割を有し、図示しないワイヤを介して別体の活性信号源に接続された電磁巻線７０を有する。足部７１は、アクチュエータにより生み出された力を所望の場所に送る。
【００９１】
本発明は、特定の構成のトランデューサの使用に限定されず、図７に示したトランデューサは、単に、利用可能な装置の一例であることは当然のことである。
【００９２】
システムは、水平面を参照して示されたが、音声発生面を、例えば、ウォールパネルのように縦にすることが可能であることは当然のことである。面が平面であることは必要不可欠ではない。
【００９３】
図８は、中空構造ポスト７３内に取り付けられた磁歪アクチュエータ７２の特徴を有する典型的な音声サイン構造体を示す。また、音声周波発生器７４は、必要に応じて電源及びＡＧＣコントロール装置と共に、中空ポスト７３に取り付けられている。中空ホスト７３は、アクチュエータと、ポストに配置された剛性ビジュアルパネル７５に送信された周波数とにより励磁される。
【００９４】
図９は、磁歪アクチュエータ７２と、成形取付ブラケットを用いて中空ポスト７３の内側への取り付け方法を示し、全ての生成信号がサイン構造体を介して送信されたことを保証する。
図１０及び１１は、磁歪アクチュエータ７２及び成形ブラケット７６の詳細な図を示す。
【図面の簡単な説明】
【００９５】
【図１】結合された音声アクチュエータ及びセンサの概略断面図である。
【図２】アクチュエータ及びセンサの別の構造の概略断面図である。
【図３】別の実施例による結合されたアクチュエータ及びセンサが設けられた二重窓パネルを介した概略断面図である。
【図４】壁の空洞に取り付けられたアクチュエータ及びセンサ装置を示す図３と同様の図である。
【図５】本発明に係るコントローラのブロック回路図である。
【図６】ノイズコントロールシステムが取り付けられたテーブルの図である。
【図７】図１のシステムのトランデューサを介した断面図である。
【図８】音声出力に採用されたサインディスプレイの正面図である。
【図９】図８のサインの上面図である。
【図１０】図８及び図９に示す音声サインに利用されたアクチュータ及び成形取付けブラケットを示す図である。
【図１１】図８及び図９に示す音声サインに利用されたアクチュータ及び成形取付けブラケットを示す図である。
【符号の説明】
【００９６】
１    ハウジング
２    コア
３    スプリング
４    プッシャ
５    足部
６    圧電検出部
３０  アクチュエータ
６３  コントローラ
６４  トランデューサ
【図１】
2006526921.tif 000002
【図２】
2006526921.tif 000003
【図３】
2006526921.tif 000004
【図４】
2006526921.tif 000005
【図５】
2006526921.tif 000006
【図６】
2006526921.tif 000007
【図７】
2006526921.tif 000008
【図８】
2006526921.tif 000009
【図９】
2006526921.tif 000010
【図１０】
2006526921.tif 000011
【図１１】
2006526921.tif 000012
【国際調査報告】
2006526921.tif 000013
2006526921.tif 000014
2006526921.tif 000015